(57)【特許請求の範囲】
【請求項１】
支柱とビームを接合する防護柵継手構造であって、
支柱とビームの接合金具は、舌片付き座金と、これに重ねられる回転止め座金と、これらに軸部が挿通されるボルトとからなり、
前記舌片付き座金は、接合穴を有する座金支承部を備えていると共に、支柱または支柱に固定された部材に突き当たり回転が阻止される長尺の舌片と、折り曲げられて回転止め座金におけるアームに係合する舌片によるストッパとを一体に備えており、
前記回転止め座金は、ボルト頭部に係合する折り曲げ片を備え、かつ前記ストッパに係合可能なアームを備えてなる
防護柵継手構造。
【請求項２】
支柱とビームを接合する防護柵継手構造であって、
支柱と、インナースリーブと、そのインナースリーブの外側に嵌合したビームを備え、
支柱の上端部にはブラケットが固設され、このブラケットにインナースリーブを内挿した前記ビームが載置され、
支柱のブラケットとビームとインナースリーブとを接合する接合部Ａと、ビームとインナースリーブとを接合する接合部Ｂの少なくとも一方の接合部を接合金具で接合してなり、
該接合金具は、舌片付き座金と、これに重ねられる回転止め座金と、これらに軸部が挿通されるボルトとからなり、
前記舌片付き座金は、接合穴を有する座金支承部を備えていると共に、前記ブラケットまたは支柱側に係合して回転が阻止される長尺の舌片と、折り曲げられて回転止め座金におけるアームに係合する舌片によるストッパとを一体に備えており、
前記回転止め座金は、ボルト頭部に係合する折り曲げ片を備え、かつ前記ストッパに係合可能なアームを備えてなる
防護柵継手構造。
【請求項３】
舌片付き座金における舌片が周方向に複数設けられ、いずれか一つの舌片が折り曲げられて、ストッパが形成されてなる請求項１または２に記載の防護柵継手構造。
【請求項４】
請求項１または２における舌片付き座金における舌片の折り曲げによるストッパに代えて、折り曲げない舌片によるストッパとされてなる防護柵継手構造。
【請求項５】
防護柵の支柱を基礎に埋め込み固定されたアンカーボルトに接合金具により固定する防護柵の固定構造において、
該接合金具は、舌片付き座金と、これに重ねられる回転止め座金と、ナットを備え、
前記舌片付き座金は、接合穴を有する座金支承部を備えていると共に、支柱または支柱に固定された部材に突き当たり回転が阻止される長尺の舌片と、折り曲げられて回転止め座金におけるアームに係合する舌片によるストッパとを一体に備えており、
前記回転止め座金は、ナットに係合する折り曲げ片を備え、かつ前記ストッパに係合可能なアームを備えてなる
防護柵の固定構造。
【請求項６】
防護柵の支柱を基礎に埋め込み固定された雌ねじ金具に接合金具により固定する防護柵の固定構造において、
該接合金具は、舌片付き座金と、これに重ねられる回転止め座金と、ボルトとからなり、
前記舌片付き座金は、接合穴を有する座金支承部を備えていると共に、支柱または支柱に固定された部材に突き当たり回転が阻止される長尺の舌片と、折り曲げられて回転止め座金におけるアームに係合する舌片によるストッパとを一体に備えており、
前記回転止め座金は、ボルト頭部に係合する折り曲げ片を備え、かつ前記ストッパに係合可能なアームを備えてなる
防護柵の固定構造。
【発明の詳細な説明】
【技術分野】
【０００１】
本発明は、防護柵における支柱とビームの継手接合構造や、支柱の固定のための固定構造に関する。
【背景技術】
【０００２】
従来、防護柵における継手構造の中でも、ボルトまたはナットの廻り止め機能を有する構造として、（１）支柱側のブラケットに矩形状凹部を設け、前記凹部に矩形状のナットを嵌合して、ナットの廻り止めを図るようにした構造が知られている。（例えば、特許文献１参照  実開昭６０−５０２１９号公報）。
【０００３】
また、（２）ビーム側に間隔をおいて凹部を設けて、前記凹部にナットを溶接により固定するようにした形態の構造も知られている（例えば特許文献２参照  実公昭６３−３８２６５号公報）。
【０００４】
また、（３）図１４に示すように、支柱１におけるブラケット２に、インナースリーブ１９を内装したビーム３を架設する場合に、ボルト４の弛み止めとして、ボルト頭部５と平ワッシャ６の間に、さらにスプリングワッシャ７を介在させて、ボルト４を締付ける際に、このスプリングワッシャ７の本体の段差部がなくなるまで（スプリング作用がなくなるまで）締付けることによって廻り止め機能を果たし、軸方向のスプリング作用部のずれ（段差）がなくなっていることが外観上わかる廻り止め機能を備えている形態も知られている。
【０００５】
また、部材間の締結構造として、（４）ワッシャーに係止フックを設けると共に、折り曲げ部を設けて、前記係止フックを締結物の側面に係止させ、折り曲げ部をボルト頭部側に折り曲げて、前記折り曲げ部により廻り止め機能をもたせる回り止めワッシャーを使用した部材相互間の締結構造も知られている（例えば、特許文献３参照  特開２００２−３９１４１号公報）。
【０００６】
また、防護柵における支柱の固定構造として、（５）前記支柱におけるベースプレートを、道路体近傍のコンクリート基礎に埋め込み固定の雌ねじ金具またはアンカーボルトに固定する固定構造として場合、ボルトまたはナットの弛み止めとして、ボルト頭部またはナットと平ワッシャの間に、さらにスプリングワッシャを介在させて、ボルトまたはナットを締付ける際に、このスプリングワッシャの本体の段差部がなくなるまで（スプリング作用がなくなるまで）締付けることによって廻り止め機能を果たし、軸方向のスプリング作用部のずれ（段差）がなくなっていることが外観上わかる廻り止め機能を備えている形態も知られている。
【特許文献１】実開昭６０−５０２１９号公報
【特許文献２】実公昭６３−３８２６５号公報
【特許文献３】特開２００２−３９１４１号公報
【発明の開示】
【発明が解決しようとする課題】
【０００７】
前記（１）および（２）従来の場合は、ブラケットまたはビーム側に特殊な加工が必要になるので、コストアップの要因になるという問題があり、また、前記（３）および（５）の場合には、スプリング作用がなくなるまで締め付けると、軸方向のスプリング部のずれ（段差）がなくなっていることが外観上わかるので、回り止め機能が働いていることが判別できるが、より簡単に外観上判別できる廻り止め機能を備えている形態が求められる。（４）の場合には、部材の上面と側面とが直角に外形状露出する形態では利用できるが、ほぼ筒状の部材となるビーム型の防護柵では適用できないという問題がある。
本発明は、前記の課題を有利に解決することができる防護柵継手構造および固定構造を提供することを目的とする。
【課題を解決するための手段】
【０００８】
前記の課題を有利に解決するために、第１発明の防護柵継手構造においては、支柱とビームを接合する防護柵継手構造であって、
支柱とビームの接合金具は、舌片付き座金と、これに重ねられる回転止め座金と、これらに軸部が挿通されるボルトとからなり、
前記舌片付き座金は、接合穴を有する座金支承部を備えていると共に、支柱または支柱に固定された部材に突き当たり回転が阻止される長尺の舌片と、折り曲げられて回転止め座金におけるアームに係合する舌片によるストッパとを一体に備えており、
前記回転止め座金は、ボルト頭部に係合する折り曲げ片を備え、かつ前記ストッパに係合可能なアームを備えてなることを特徴とする。
【０００９】
また、第２発明の防護柵継手構造では、支柱とビームを接合する防護柵継手構造であって、
支柱と、インナースリーブと、そのインナースリーブの外側に嵌合したビームを備え、
支柱の上端部にはブラケットが固設され、このブラケットにインナースリーブを内挿した前記ビームが載置され、
支柱のブラケットとビームとインナースリーブとを接合する接合部Ａと、ビームとインナースリーブとを接合する接合部Ｂの少なくとも一方の接合部を接合金具で接合してなり、
該接合金具は、舌片付き座金と、これに重ねられる回転止め座金と、これらに軸部が挿通されるボルトとからなり、
前記舌片付き座金は、接合穴を有する座金支承部を備えていると共に、前記ブラケットまたは支柱側に係合して回転が阻止される長尺の舌片と、折り曲げられて回転止め座金におけるアームに係合する舌片によるストッパとを一体に備えており、
前記回転止め座金は、ボルト頭部に係合する折り曲げ片を備え、かつ前記ストッパに係合可能なアームを備えてなる。
【００１０】
また、第３発明では、第１発明の防護柵継手構造において、舌片付き座金における舌片が周方向に複数設けられ、いずれか一つの舌片が折り曲げられて、ストッパが形成されている。
【００１１】
また、第４発明では、第１または第２発明の防護柵継手構造における舌片付き座金における舌片の折り曲げによるストッパに代えて、折り曲げのない舌片によるストッパとされている。
【００１２】
また、第５発明の防護柵の固定構造では、防護柵の支柱を基礎に埋め込み固定されたアンカーボルトに接合金具により固定する防護柵の固定構造において、
該接合金具は、舌片付き座金と、これに重ねられる回転止め座金と、ナットを備え、
前記舌片付き座金は、接合穴を有する座金支承部を備えていると共に、支柱または支柱に固定された部材に突き当たり回転が阻止される長尺の舌片と、折り曲げられて回転止め座金におけるアームに係合する舌片によるストッパとを一体に備えており、
前記回転止め座金は、ナットに係合する折り曲げ片を備え、かつ前記ストッパに係合可能なアームを備えてなることを特徴とする。
【００１３】
また、第６発明の防護柵の固定構造では、第１発明〜第５発明のいずれかの防護柵継手構造を備えた防護柵であって、前記防護柵の支柱を基礎に埋め込み固定されたアンカーボルトに接合金具により固定する防護柵の固定構造において、
該接合金具は、舌片付き座金と、これに重ねられる回転止め座金と、ボルトとからなり、
前記舌片付き座金は、接合穴を有する座金支承部を備えていると共に、支柱または支柱に固定された部材に突き当たり回転が阻止される長尺の舌片と、折り曲げられて回転止め座金におけるアームに係合する舌片によるストッパとを一体に備えており、
前記回転止め座金は、ボルト頭部に係合する折り曲げ片を備え、かつ前記ストッパに係合可能なアームを備えてなることを特徴とする。
【発明の効果】
【００１４】
第１発明によると、支柱とビームの接合金具に、舌片付き座金と、回転止め座金と、ボルトとからなる接合金具を使用して、舌片付き座金における長尺の舌片を支柱または支柱に固定される部材に係合させて舌片付き座金を回転不能にすることができる。また、他の舌片を折り曲げて、ストッパを形成することができるため、回転止め座金がボルトと共に回転しても、回転止め座金におけるアームが、前記ストッパに係合して、回転止め座金およびボルトの緩みを防止することができる。
【００１５】
また、特に第１発明の場合には、舌片付き座金は、長い舌片を備えているので、これを支柱側に係合させて、その回転を防止することができ、そのため舌片付き座金のストッパに係合する回転止め座金のアームの回転を防止して、回転止め座金の支承部にボルトが挿通配置された状態では、通常の座金と異なり、舌片付き座金のみが回転することがないため、これに形成されたストッパの位置が変わることがなく、確実に、回転止め座金およびボルトの緩み止めを図ることができる。
また、回転止め座金におけるアームと、舌片付き座金におけるストッパとは、外観に現れており、ボルトを締め込んだ後、舌片付き座金における舌片を折り曲げてストッパを形成するだけでよく、また、これらが係合して廻り止め機能を果たす位置関係にあるか否か容易に判別することができ、セッティング作業および管理作業が容易になる。
【００１６】
第２発明によると、支柱のブラケットとビームとインナースリーブとの接合部Ａ、またはビームとインナースリーブとの接合部Ｂの一方または両方の接合部に、舌片付き座金と、回転止め座金と、ボルトとからなる接合金具を使用して、舌片付き座金をブラケットまたは支柱のウエブに係合させて舌片付き座金を回転不能にすることができる。  また、第２発明によると、長い舌片を有する舌片付き座金を使用しているので、長い舌片をブラケットまたは支柱あるいは支柱に固定される隣接する長尺の舌片などの部材に係合させて舌片付き座金の回転を防止することができる。
【００１７】
また、第３発明では、舌片付き座金における舌片が周方向に複数設けられ、いずれか一つの舌片が折り曲げられて、ストッパが形成されているので、舌片付き座金における舌片の一つと回転止め座金におけるアームとが同じ位置にあっても、他の舌片を折り曲げてストッパを形成することができる。
【００１８】
また、第４発明では、第１発明または第２発明の防護柵継手構造における舌片付き座金における舌片の折り曲げによるストッパに代えて、折り曲げない舌片によるストッパとされているので、舌片付き座金の構成を単純にし、その製作が容易になり、舌片付き座金の舌片を外向きに折り曲げないので、外向きに突出する突出部が生じることがない。そして、外側に配置される回転止め座金のアームをビーム側に向って内向きに折り曲げればよいので、折り曲げも容易である。
【００１９】
また、第５発明によると、支柱と基礎に埋め込み固定されたアンカーボルトとの接合金具に、舌片付き座金と、これに重ねられる回転止め座金と、ナットを備えた接合金具を使用し、しかも長尺の舌片を有する舌片付き座金を使用しているので、舌片付き座金が回転した場合、舌片付き座金における長尺の舌片を支柱または支柱に固定される部材に突き当たらせて舌片付き座金を回転不能にすることができる。また、他の舌片を折り曲げて、ストッパを形成することができるため、回転止め座金がナットと共に回ろうとしても、回転止め座金におけるアームが、前記ストッパに係合して、回転止め座金およびナットの緩みを防止することができる。
【００２０】
また、特に舌片付き座金は、長い舌片を備えているので、これを支柱側に係合させて、その回転を防止することができ、そのため舌片付き座金のストッパに係合する回転止め座金のアームの回転を防止し、また、舌片付き座金のみが回転することがないため、これに形成されたストッパの位置が変わることがなく、確実に、回転止め座金およびナットの緩み止めを図ることができる。
また、回転止め座金におけるアームと、舌片付き座金におけるストッパとは、外観に現れており、ナットを締め込んだ後、舌片付き座金における舌片を折り曲げてストッパを形成するだけでよく、また、これらが係合して廻り止め機能を果たす位置関係にあるか否か容易に判別することができ、セッティング作業および管理作業が容易になる。
【００２１】
また、第６発明によると、支柱と基礎に埋め込み固定された雌ねじ金具との接合金具に、舌片付き座金と、これに重ねられる回転止め座金と、ボルトとからなる接合金具を使用し、しかも長尺の舌片を有する舌片付き座金を使用しているので、舌片付き座金が回転した場合、舌片付き座金における長尺の舌片を支柱または支柱に固定される部材に突き当たらせて舌片付き座金を回転不能にすることができる。また、他の舌片を折り曲げて、ストッパを形成することができるため、回転止め座金がボルトと共に回ろうとしても、回転止め座金におけるアームが、前記ストッパに係合して、回転止め座金およびナットの緩みを防止することができる。
また、特に舌片付き座金は、長い舌片を備えているので、これを支柱側に係合させて、その回転を防止することができ、そのため舌片付き座金のストッパに係合する回転止め座金のアームの回転を防止し、また、舌片付き座金のみが回転することがないため、これに形成されたストッパの位置が変わることがなく、確実に、回転止め座金およびボルトの緩み止めを図ることができる。
また、回転止め座金におけるアームと、舌片付き座金におけるストッパとは、外観に現れており、ボルトを締め込んだ後、舌片付き座金における舌片を折り曲げてストッパを形成するだけでよく、また、これらが係合して廻り止め機能を果たす位置関係にあるか否か容易に判別することができ、セッティング作業および管理作業が容易になる。
【発明を実施するための最良の形態】
【００２２】
次に、本発明を図示の実施形態に基づいて詳細に説明する。
図１〜図６は本発明の一実施形態の橋梁用等の防護柵継手構造を示し、図７は前記防護柵継手構造に使用される一形態の回転止め座金の部品図を、図８は舌片付き座金の部品図を示すものである。
【００２３】
まず、本発明において使用する主要な部品について説明する。図７は、鋼製等の回転止め座金８を示すものであって、ボルト軸部挿通孔９を有する本体１０の外周側に、等角度間隔おいて本体１０から起立された、ボルト頭部外側面に係合する回り止め片１１が複数（図示の場合は、１２０°間隔をおいて３つ）設けられ、前記各回り止め片１１の内面側によって形成された溝内に六角ボルト４の頭部５が配置され、前記各回り止め片１１の内面側が、図１および図５並びに図６に示すように、六角ボルト４等のボルト頭部５の多角形外側面１２に近接または係合されるように構成されている。
【００２４】
前記本体１０における一対の回り止め片１１間において、本体１０と同面状で、本体１０の半径方向外側に延長するように、廻り止め用のアーム１３が設けられている。この廻り止め用のアーム１３は、後記する舌片付き座金１４における折り曲げ形成されたストッパ２９に係合されるようにされる部分である。
【００２５】
図８は、前記回転止め座金８の下側に配置される、鋼製等の舌片付き座金１４を示すものであって、この舌片付き座金１４は、座金本体であり、かつ前記回転止め座金８を支承する部分でもある座金支承部１５を有しており、その座金支承部１５には、ボルト軸部挿通孔１７からなる接合穴が設けられていると共に、座金支承部１５の外周側には、座金支承部１５と同面状で、前記ボルト軸部挿通孔１７の中心から半径方向外側に突出する複数の短尺の舌片１８と、下面が円弧状に湾曲する円弧状下面部１６ａを有する長尺の舌片１６とを、所定の角度間隔をおいて備えている。各座金支承部１５に設けられた短尺の各舌片１８および長尺の舌片１６は、各座金支承部１５において等角度間隔をおいて設けると、舌片付き座金１４の製作が容易になる。
【００２６】
前記長尺の舌片１６の下面の円弧状下面部１６ａは、先端部が座金支承部１５の下面よりも、後記する少なくとも支柱１に設けられるブラケット２の板厚以上、下位に位置する下面レベルとされ、このようにすることにより、前記長尺の舌片１６がブラケット２またはビーム３の円弧状外面に沿って設置可能にされている。長尺の舌片１６の先端部１６ｂには、折り返し部が形成されて、舌片１６の先端角部がブラケット２またはビーム３に接触して、傷がつかないようにされている。図示の形態では、円弧状下面部１６ａの曲率半径は、ブラケット２またはビーム３の円弧状外面の曲率半径よりも小さくされて、ブラケット２またはビーム３の半径方向外面に弾性的に圧着される。前記の長尺の舌片１６は長尺の帯板状であるので、その先端部が横方向にブラケット２またはビーム３に、点接触ではなく、線接触または面接触されるので、これらの接触形式によっても、長尺の舌片１６自身の回転が防止される。
【００２７】
また、前記座金支承部１５中心と、長尺の舌片１６先端部までの寸法は、ビーム３に取付けられる舌片付き座金１４にあっては、ビーム３に設けられる外側に一致する接合穴中心と、ブラケット２までの寸法Ｌ（図５Ａ参照）よりも長い寸法とされて、長尺の舌片１６が回転した場合に、ブラケット２の軸方向の側面に係合し廻り止めされるようにされる。また、ブラケット２の外側に取付けられる舌片付き座金１４にあっては、ブラケット２に設けられる接合穴中心と支柱１のウエブ２１との間の寸法Ｌ１（図５Ｂ参照）よりも長く設定され、長尺の舌片１６が回転した場合に支柱１のウエブ２１に係合し廻り止めされるようにされる。このように、長尺の舌片１６が、ブラケット２または支柱１のウエブ２１に係合することにより、これらを長尺の舌片１６のストッパとして機能させ、これに係合する舌片付き座金１４の回転を防止している。
【００２８】
また、各座金支承部１５に、複数の舌片１８を周方向に偏心した位置に複数設ける理由は、一方の舌片１８に、前記回転止め座金８における廻り止め用のアーム１３が重なるようになった場合に、前記一方の舌片１８を折り曲げることができなくなるため、複数の舌片１８を設けて、いずれか他方の舌片１８を前記廻り止め用のアーム１３と重ならないようにし、その他方の舌片１８を折り曲げ可能にするためである。ただし、ボルトの締め込みを強くして、前記各舌片１８からアーム１３が離れた位置とすることも可能であり、このような場合には、１つの舌片１８でもよい。
【００２９】
このように舌片１８をアーム１３の幅以上の間隔をおいて複数設けることにより、回転止め座金８における廻り止め用のアーム１３が、ボルトと共に締め付けるように回転されて、いずれの位置に停止しても、一つの舌片１８をボルト頭部側に起立させるように折り曲げて、振動等によるボルト４の弛みが生じた場合に、ボルト４と共に廻り止め用のアーム１３が回転した場合でも、前記廻り止め用のアーム１３が、起立された他方の舌片１８に係合し、廻り止め用のアーム１３の回転が阻止され、回転止め座金８を介してこれに回転不能に係合するボルト４の回転を防止し、ボルト４の弛み止めを図ることが可能にされている。
【００３０】
次に、図１〜図６を参照して、図７および図８に示す前記の回転止め座金８と、複数の座金支承部１５を有する舌片付き座金１４とを使用した本発明の防護柵継手構造を説明する。なお、図６（Ａ）および（Ｂ）に、回転止め座金におけるアームが舌片付き座金における舌片と重ならない位置である場合の図１（Ａ）（Ｂ）に相当する図が示されている。
【００３１】
橋梁等の道路側部に沿って、断面Ｈ形の鋼製の支柱１が間隔をおいて設置され、その支柱１の上端部は、道路側に向って位置する内側フランジ２０の上端部が所定の低レベル位置に配置されると共に、ウエブ２１が円弧状に切り欠かれ、かつ横向きに屈曲するように反対側に位置する外側フランジ２２が設けられて、これらに支承されるように道路側に向って窪む、断面円弧状の鋼製のブラケット２の背面側が溶接Ｗ等により固設されている。
【００３２】
前記ブラケット２には、支柱１のフランジ２０，２２とウエブ２１により形成される両側の溝内に位置するように、ボルト軸部挿通用孔からなる接合穴２３がそれぞれ一つ設けられている。
【００３３】
前記ブラケット２には、端部にインナースリーブ１９を内挿した直列配置の各ビーム３の端部が載置され、前記インナースリーブ１９には、部材長手方向に間隔をおいて、部材軸方に２つづつ合計４つのボルト接合穴（第１の接合穴が２つと、第２の接合穴が２つ）が間隔をおいて直列に設けられている。図４に示すように、前記インナースリーブ１９の軸方向内側に配置されている各接合穴（第１の接合穴）２４は、それぞれ支柱１の左右両側の溝に対応した位置に設けられると共に、ブラケット２の接合穴２３に対応した位置に配置され、かつ各ビーム３の軸方向外側に位置する接合穴（第１の接合穴）２６に対応する位置に設けられ、これらの接合穴が利用されてボルトにより接合される接合部Ａとされ、前記インナースリーブ１９の軸方向外側の２つの接合穴２５は、軸方向のブラケット２の外側に位置し、インナースリーブ１９の接合穴２５と各ビーム３の接合穴（第２の接合穴）２７が同心に配置され、これらの接合穴が利用されてボルトにより接合される接合部Bとされる。
【００３４】
前記インナースリーブ１９の各接合穴は、図示のように、ボルト軸部挿通孔およびこれと同心状に内面に固定されたナット２８の雌ねじ孔により構成されるか、前記インナースリーブ１９に直接設けられる雌ねじ孔（図示を省略した）により構成される。
【００３５】
前記のように、インナースリーブ１９と各ビーム３の各接合穴２４（２５），２６（２７）が配置された状態で、前記各ビーム３の接合穴および前記ブラケット２の接合穴にそれぞれ舌片付き座金１４を配置すべく、支柱１の左右両側において、それぞれ舌片付き座金１４の各座金支承部１５の孔に、回転止め座金８を装着した六角ボルト４の軸部が挿通され、各六角ボルト４の軸部３０にさらにスプリングワッシャ７および平ワッシャ６が順次装着された状態で、前記各六角ボルト４の軸部３０が各接合孔に挿通されると共に、インナースリーブ１９の接合穴２４（２５）を構成するナット２８の雌ねじ孔にねじ込まれて、ブラケット２とインナースリーブ１９と各ビーム３とが一体化される。
【００３６】
前記六角ボルト４を回動するときには、その六角頭部に装着されている回転止め座金８における回り止め片１１の外側から回動工具により回転止め座金８と共に回動されて締め込まれ、所定の値に締め込まれた状態で、前記回転止め座金８における廻り止め用のアーム１３から外れた位置となっている、前記舌片付き座金１４における少なくとも一つの舌片１８をボルト軸方向の頭部側に位置するように折り曲げる。
【００３７】
また、ブラケット２から外れてビーム３の外面に係合している舌片付き座金１４における長尺の舌片１６の先端部１６ｂは、長尺の舌片１６における円弧状部が弾性変形されて、ビーム３の外面に圧着され、長尺の舌片１６の弾性変形による圧着により、これに当接して設けられる回転止め座金８およびボルト４の廻り止めを図っている。また、ブラケット２の外面に係合している舌片付き座金１４における長尺の舌片１６の先端部１６ｂは、その円弧状ブラケットが弾性変形されて、ブラケット２の外面に圧着され、前記と同様に、回転止め座金８およびボルト４の廻り止めを図っている。
【００３８】
前記のように、少なくと一つの舌片１８を折り曲げることにより、廻り止め用のアーム１３の回転可能な範囲において交差する位置に、舌片１８によるストッパ２９が形成される。
【００３９】
前記のように、舌片１８によりストッパ２９が形成されることにより、回転止め座金８と共にボルト４が回転した場合には、廻り止め用のアーム１３がストッパ２９に係合して回転が阻止され、ボルト４の回転による弛みが防止される。前記本発明のように、アーム１３とストッパ２９が外観上明確に現れているため、ボルトの弛み止め機能が作用していることを簡単に点検することができるので、管理が容易である。
【００４０】
次に、図９から図１３を参照して、前記実施形態と同様な接合金具を使用し、防護柵における支柱１を道路橋における基礎コンクリート４０に埋め込み固定されたアンカーボルト４１（図９の場合）または雌ねじ金具４２（図１２の場合）に固定する固定構造について説明する。なお、同様な要素には同様な符号を付して説明を簡単にする。
【００４１】
図９〜図１１は、防護柵における支柱１を、基礎コンクリート４０に埋め込み固定されたアンカーボルト４１に接合金具により固定する防護柵の固定構造の形態を示したもので、接合金具は、舌片付き座金１４と、回転止め座金８およびナット４３から構成している。図２に示す実施形態のボルト４がナット４３に置き換えられている。
【００４２】
コンクリート製基礎４０に、前後方向および左右方向に間隔をおいて複数のアンカーボルト４１の下部が埋め込み固定され、各アンカーボルト４１に、防護柵における支柱１のベースプレート４４の前後左右の４つのボルト挿通孔（接合穴）がそれぞれ挿通されるように、支柱１が基礎コンクリート４０上に載置され、ベースプレート４４の上面に、平ワッシャ６と、スプリングワッシャ７と、舌片付き座金１４と、回転止め座金８およびナット４３が配置されている。前記の舌片付き座金１４と、回転止め座金８とは、前記実施形態と同じ構成であるので、同様な符号を付している。回転止め座金８における各回転止め片１１を六角ナット４３の多角形外側面１２に係合して、回転止め座金８を前記ナット４３に装着してこれらをアンカーボルト４１にねじ込み装着するようにすればよい。
【００４３】
この形態では、各アンカーボルト４１が舌片付き座金１４の各ボルト軸部挿通孔１７に挿通され、その回転が防止され、舌片付き座金１４のストッパ２９に係合する回転止め座金８の廻り止め用アーム１３により、回転止め座金８を介してナット４３の弛み回転を防止している。
【００４４】
この形態では、アンカーボルト４１にねじ込み固定される部材がナット４３であるために、このナット４３の回り止めを確実に図るようにしている。防護柵の支柱１の固定構造としてより信頼性の高い固定構造とすることができる。
【００４５】
図１２および図１３の形態では、防護柵における支柱１を道路橋における基礎コンクリート４０に埋め込み固定された雌ねじ金具４２に固定する形態が示されている。雌ねじ金具４２は基礎コンクリート４０に埋め込み固定されたアンカーボルト４１の上部に雌ねじ金具４２の下部がねじ込み固定され、必要に応じ溶接により固定されている。この形態では、接合金具は、舌片付き座金１４と、回転止め座金８およびボルト４から構成している。
【００４６】
コンクリート製基礎４０に、前後方向および左右方向に間隔をおいて複数の雌ねじ金具４２が埋め込み固定され、各雌ねじ金具４２に、防護柵における支柱１のベースプレート４４のボルト挿通孔がそれぞれ位置するように、支柱１がコンクリート基礎４０上に載置され、ベースプレート４４の上面に、平ワッシャ６と、スプリングワッシャ７と、舌片付き座金１４と、回転止め座金８およびボルト４が配置されている。前記の舌片付き座金１４と、回転止め座金８およびボルト４は、図２に示す前記実施形態と同様な構成であるので、同様な符号を付している。各ボルト４が、雌ねじ金具４２にねじ込まれて、ベースプレート４４をコンクリート基礎４０に固定している以外は、図２に示す形態と同様である。
【００４７】
この形態でも、図９に示す形態と同様に、各ボルト４が舌片付き座金１４の各ボルト軸部挿通孔１７に挿通されて、舌片付き座金１４の回転が防止され、舌片付き座金１４のストッパ２９に係合する回転止め座金８の廻り止め用アーム１３により、回転止め座金８を介してボルト４の弛み回転を防止している。
【００４８】
この形態では、雌ねじ金具４２にねじ込み固定される部材がボルト４であるために、このボルト４の回り止めを確実に図るようにしている。防護柵の支柱１を固定するボルト４の緩みが生じない信頼性の高い固定構造とすることができる。
【００４９】
前記実施形態では、舌片付き座金１４における各座金支承部１５に２つの舌片１８を設けるようにしているが、本発明を実施する場合、各座金支承部１５に１つの舌片１８を設けるようにしてもよい。この場合には、適宜回転止め座金８におけるアーム１３を前記舌片１８から外れた位置に設定すればよい。また、舌片１８を等角度等の間隔をおいて３つ以上設けて、アーム１３と舌片１８によるストッパ２９を早期に係合して、ボルト４の弛み止めを図るようにしてもよい。
【００５０】
また、本発明実施する場合、舌片付き座金１４における舌片と、回転止め座金８におけるアーム１３とは、いずれか一方が折り曲げられてストッパ機能を果たすようになればよいので、舌片付き座金における舌片の折り曲げによるストッパに代えて、折り曲げられない舌片によるストッパとされていてもよい。舌片付き座金における舌片を外側に折り曲げてもよいが、回転止め座金におけるアームを内向きに折り曲げてもよい。舌片の折り曲げにより、外向きに突出部が生じる場合に比べて、内向きに突出部が隠れるようにした方が、美観上好ましいが、保守・点検あるいは防錆塗装上は、舌片の外向き折り曲げが有利である。
【００５１】
また、本発明を実施する場合、ボルト頭部（またはナット）と回転止め座金との非回転の係合関係は、前記実施形態のように回転止め座金の折り曲げ片としてもよいが、これに代えて、ボルト頭部（またはナット４３）に係合し、互いに相対的に回転しないような六角凹部等の非回転係合部を回転止め座金に設け、前記非回転係合部と同心状に、ボルト軸部挿通孔とを設けるようにしてもよい。
【００５２】
また、本発明を実施する場合、回転止め座金８とボルト４の頭部（またはナット４３）との当接面を粗面として、ボルト（またはナット４３）の初期の廻り止めを図るようにしてもよい。
【００５３】
本発明を実施する場合、ビームとしては、前記実施形態の円形断面のビームに代えて、楕円形断面あるいは角形断面のビームとしてもよく、角形断面のビームの場合には、ブラケットを平板状あるいはＬ型断面状にすればよく、また、舌片付き座金１４における下面が円弧状に湾曲する円弧状下面部１６ａを有する長尺の舌片１６または平坦状の下面部１６ａを有する長尺の舌片１６とすればよい。
【００５４】
なお、本発明の防護柵継手構造および固定構造は、新設の防護柵における継手構造または固定構造ばかりでなく、既存の防護柵における継手構造あるいは固定構造に適用してもよい。
【図面の簡単な説明】
【００５５】
【図１】（Ａ）は本発明の一実施形態の防護柵継手構造を示す一部縦断背面図、（Ｂ）はその一部の拡大図である。
【図２】（Ａ）は図１に示す防護柵継手構造の縦断側面図、（Ｂ）は（Ａ）の一部を拡大して示す図である。
【図３】（Ａ）および（Ｂ）は、図１に示す防護柵継手構造におけるボルト等を分解して示す一部分解側面図および斜視図である。
【図４】インナースリーブとブラケットとビームの関係の一部を示す横断平面図である。
【図５】（Ａ）はビーム側に配置された舌片付き座金がブラケットに係合して、その回転が防止されることを説明するための説明図、（Ｂ）は舌片付き座金が支柱のウエブに係合して、その回転が防止されることを説明するための説明図である。
【図６】（Ａ）および（Ｂ）は、回転止め座金におけるアームが舌片付き座金における舌片と重ならない位置である場合の図１（Ａ）（Ｂ）に相当する図である。
【図７】回転止め座金を示すものであって、（Ａ）は正面図、（Ｂ）は底面図である。
【図８】舌片付き座金を示すものであって、（ａ）は正面図、（ｂ）は平面図である。
【図９】防護柵における支柱の固定構造の一形態を示す縦断側面図である。
【図１０】図９の一部横断平面図である。
【図１１】コンクリート基礎に埋め込み固定されたアンカーボルトと支柱との関係を示す概略斜視図である。
【図１２】防護柵における支柱の固定構造の他の形態を示す縦断側面図である。
【図１３】図１２の一部横断平面図である。
【図１４】従来の防護柵継手構造を示す一部分解斜視図である。
【符号の説明】
【００５６】
１   支柱
２  ブラケット
３  ビーム
４  ボルト
５  ボルト頭部
６  平ワッシャ
７  スプリングワッシャ
８  回転止め座金
９  ボルト軸部挿通孔
１０  本体
１１  回転止め
１２  多角形外側面
１３  廻り止め用のアーム
１４  舌片付き座金
１５  座金支承部
１６  長尺の舌片
１６ａ  円弧状下面部
１６ｂ  先端部
１７  ボルト軸部挿通孔
１８  舌片
１９  インナースリーブ
２０  内側フランジ
２１  ウエブ
２２  外側フランジ
２３  ブラケットの接合穴
２４  インナースリーブの第１の接合穴
２５  インナースリーブの第２の接合穴
２６  ビームの第１の接合穴
２７  ビームの第２の接合穴
２８  ナット
２９  ストッパ
４０  基礎コンクリート
４１  アンカーボルト
４２  雌ねじ金具
４３  ナット
４４  ベースプレート
【図１】
0004547310.tif 000002
【図２】
0004547310.tif 000003
【図３】
0004547310.tif 000004
【図４】
0004547310.tif 000005
【図５】
0004547310.tif 000006
【図６】
0004547310.tif 000007
【図７】
0004547310.tif 000008
【図８】
0004547310.tif 000009
【図９】
0004547310.tif 000010
【図１０】
0004547310.tif 000011
【図１１】
0004547310.tif 000012
【図１２】
0004547310.tif 000013
【図１３】
0004547310.tif 000014
【図１４】
0004547310.tif 000015